(57)【要約】【課題】撮影の際の位置情報取得を簡単にし、かつ写真プリント等の再生画像上は撮影者の意志に基づいた形態で位置情報を表示する。【解決手段】撮影時には位置情報を自動で取得すると共に、撮影者は該位置情報をどのような表示形態で再生するかを選択できる。第１実施例では、カメラはＧＰＳ衛星から経緯度情報を取得し、撮影者は表示形態として経緯度の他に住所や施設名としての表示形態をカメラ上で設定する。プリンタは上記情報に基づいて経緯度を所定の表示形態に変換し、プリント上に印字する。第２実施例では、カメラは符号化された場所情報を地上のアンテナより取得し、地名辞書を用いて地名あるいは経緯度に変換し、プリント上に印字する。【選択図】        図１
2004309835.tif 000002
【特許請求の範囲】
【請求項１】
被写界の光学像を形成する結像手段と、該光学像を画像情報として記録する画像記録手段と、位置情報入力手段と、該位置情報の再生表示形態に関する情報を設定する表示形態設定手段と、前記位置情報と前記再生表示形態情報を前記画像情報に関連付けて記録する情報記録手段とを有したことを特徴とするカメラ。
【請求項２】
前記位置情報は、経緯度等の座標に関する情報であることを特徴とした請求項１に記載のカメラ。
【請求項３】
前記位置情報は、場所に関する名称を所定の規則に従って符号化した情報であることを特徴とした請求項１に記載のカメラ。
【請求項４】
前記位置情報入力手段は、位置情報発信位置から発せられる位置情報信号を自動で取得することを特徴とした請求項２あるいは３に記載のカメラ。
【請求項５】
前記表示形態設定手段は、複数の表示形態の中から所定の表示形態を選択して設定することを特徴とした請求項１に記載のカメラ。
【請求項６】
前記表示形態設定手段は、少なくとも経緯度、住所、場所に関する固有名称のいずれかを選択可能なことを特徴とした請求項５に記載のカメラ。
【請求項７】
位置情報と該位置情報についての再生表示形態情報とが付加された画像情報を入力する画像入力手段と、前記再生表示形態情報に基づいて前記位置情報を再生用表示情報に変換する位置情報変換手段と、前記変換された再生用表示情報を前記画像に再付加して記録保存あるいは再生する画像再生手段とを有したことを特徴とする画像再生装置。
【請求項８】
前記位置情報は、経緯度等の座標に関する情報であることを特徴とした請求項７に記載の画像再生装置。
【請求項９】
前記位置情報は、場所に関する名称を所定の規則に従って符号化した情報であることを特徴とした請求項７に記載の画像再生装置。
【請求項１０】
前記位置情報変換手段は、前記位置情報と前記再生用表示情報とを所定の規則に従って関連付けた地名辞書を含むことを特徴とした請求項７に記載の画像再生装置。
【請求項１１】
前記再生用表示情報は、少なくとも経緯度、住所、場所に関する固有名称のいずれかを含むことを特徴とした請求項１０に記載の画像再生装置。
【請求項１２】
前記画像再生手段は、紙状の媒体に前記画像情報と再生用表示情報を再生することを特徴とした請求項７に記載の画像再生装置。
【発明の詳細な説明】
【０００１】
【発明の属する技術分野】
本発明は、撮影画像と共に該画像を撮影した位置に関する情報を記録するカメラ、及び該撮影画像に該位置情報を付加して再生する画像再生装置に関するものである。
【０００２】
【従来の技術】
従来より、撮影画像に撮影位置情報を付加して記録し、撮影画像と該位置情報を対応付けて出力して、プリント画像の整理の簡便性を図ったり、電子化された画像の検索性を向上させる提案がなされている。この場合、位置情報には種々の表示形態があるが、ここでは便宜上以下のような分類と名称付けをしておく。
【０００３】
（１）座標的位置情報：経緯度のように、座標値として定義された位置情報
（２）地理的位置情報：住所のように、地図上の空間的位置に対応して名づけられた位置情報
（３）社会的位置情報：公園名、建物名、観光地名のように、主に人工物に対して付与された固有名詞で表わされる位置情報
（４）個人的位置情報：「自宅」、「近所の公園」のように、各個人が自由に名称付けした位置情報
（５）符号化位置情報：郵便番号のように、上記（２）（３）の位置情報を所定の規則に従って定義した識別コードで表わした位置情報
そしてこれら位置情報をカメラに応用した技術は、以下のようなものが開示されている。
【０００４】
例えば特開平３−２４７０８１では、第１実施例において、階層化された社会的位置情報からなる地名辞書をカメラ内のＲＯＭ（Ｒｅａｄ  Ｏｎｌｙ  Ｍｅｍｏｒｙ）に記憶し、撮影者がスイッチ等で所望の階層の地名を選択し、撮影画像と共に記録する技術が開示されている。また第２実施例においては、測位用電波灯台、ローカル発振局、ＧＰＳ衛星等から取得した座標的位置情報あるいは符号化位置情報を、第１実施例の地名辞書を用いて社会的位置情報に変換して記録する記載がある。また、撮影画像のファイリング装置において、撮影位置を検索キーワードとして画像を効率よく検索する技術も開示されている。
【０００５】
特開平８−３１３９８８においては、カメラはＧＰＳ（Ｇｌｏｂａｌ  Ｐｏｓｉｔｉｏｎｉｎｇ  Ｓｙｓｔｅｍ）受信装置を有するとともに、外部記憶媒体（地名辞書）が装着可能で、該ＧＰＳ受信装置で取得した座標位置情報を、該地名辞書を用いて社会的位置情報に変換して写真フィルムの磁気記録層に記録する開示がなされている。
【０００６】
特開平１０−２４３２６３においては、ＧＰＳ受信装置及びカメラ機能を有したＰＤＡ（Ｐｅｒｓｏｎａｌ  Ｄｉｇｉｔａｌ  Ａｓｓｉｓｔａｎｔ）で画像と位置情報を取得し、撮影後に該ＰＤＡで画像の出力形式を入力指定する。そして該画像と位置情報を画像データ処理装置に転送し、前記指定された出力形式に基づいて画像のプリント形式を決定し、所定の画像処理を施して画像を出力する。
【０００７】
特開平１１−１５０６８においては、カメラは所定地域の場所情報を所蔵した地名辞書を内蔵し、撮影者は撮影時にカメラの入力操作部材を用いて、該地名辞書内の前記地理的位置情報あるいは社会的位置情報を選択入力し、カメラはこれを符号化位置情報に変換して写真フィルムの磁気記録層に記録する。そして現像処理された写真フィルムは、画像再生装置において画像情報と位置情報が対応付けて出力する開示がなされている。
【０００８】
特開平１１−１８３９４４においては、カメラは自動で取得したＧＰＳ情報と撮影者が指定した表示階層情報を記録し、画像出力時には該表示階層情報に基づいて、表示する地名の階層を決定する開示がなされている。
【０００９】
【発明が解決しようとする課題】
しかしながら、上記公知技術を用いて提供されたカメラは以下の欠点を有する。
【００１０】
特開平３−２４７０８１及び特開平８−３１３９８８では、撮影画像に位置情報を付加して再生する場合、位置情報の形態を撮影者が選択できないため、位置情報の利用価値が制限される。例えばカメラが位置情報を座標的位置情報として記録するカメラでは、電子地図を用いて画像を管理する場合には都合が良いが、画像を紙媒体にプリントして整理・鑑賞する場合には座標的位置情報は利用価値が低い。一方、カメラが位置情報を社会的位置情報として記録するカメラでは、画像を紙媒体にプリントして整理・鑑賞する場合には都合が良いが、電子地図を用いて画像を管理する場合には利用価値が低い。
【００１１】
特開平１０−２４３２６４では、撮影者が画像の出力形式をカメラ上で指定できるが、ここでの出力形式とは、複数画像を時間単位、場所単位、縦横単位、分類単位、枚数単位等の関連データ単位での形式の指定であり、位置情報を前記座標的情報あるいは社会的情報のいずれかを指定するものではない。従って上記特開平３−２４７０８１及び特開平８−３１３９８８と同様の欠点を有する。
【００１２】
特開平１１−１５０６８では、カメラは位置情報を符号化情報として記録し、撮影者がそれ以外の記録形式を選択できないので、上記特開平３−２４７０８１及び特開平８−３１３９８８と同様の欠点を有する。
【００１３】
特開平１１−１８３９４４では表示地名の階層を指示するのみで、経緯度、住所、場所に関する固有名称等の表示形態を選択するものではない。
【００１４】
本出願に係る第１の発明の目的は、利用価値の高い位置情報を記録可能なカメラを提供する事である。
【００１５】
本出願に係る第２の発明の目的は、汎用性の高い位置情報を記録可能なカメラを提供する事である。
【００１６】
本出願に係る第３の発明の目的は、データ容量の少ない位置情報を記録可能なカメラを提供する事である。
【００１７】
本出願に係る第４の発明の目的は、位置情報を自動で記録可能なカメラを提供する事である。
【００１８】
本出願に係る第５の発明の目的は、簡単な方法で位置情報の表示形態を指定可能なカメラを提供する事である。
【００１９】
本出願に係る第６の発明の目的は、写真に適した表示形態の位置情報が利用可能なカメラを提供する事である。
【００２０】
本出願に係る第７の発明の目的は、利用価値の高い位置情報を再生可能な画像再生装置を提供する事である。
【００２１】
本出願に係る第８の発明の目的は、汎用性の高い位置情報を撮影者にとって利用し易い表示形態にて再生可能な画像再生装置を提供する事である。
【００２２】
本出願に係る第９の発明の目的は、データ容量の少ない位置情報を撮影者にとって利用し易い表示形態にて再生可能な画像表示装置を提供する事である。
【００２３】
本出願に係る第１０の発明の目的は、情報量が豊富で最新の位置情報を再生可能な画像再生装置を提供する事である。
【００２４】
本出願に係る第１１の発明の目的は、写真に適した表示形態の位置情報が再生可能な画像再生装置を提供する事である。
【００２５】
本出願に係る第１２の発明の目的は、整理が簡便で利用価値の高い写真プリントを出力可能な画像再生装置を提供する事である。
【００２６】
【課題を解決するための手段】
本出願に係る第１の発明のカメラは、被写界の光学像を形成する結像手段と、該光学像を画像情報として記録する画像記録手段と、位置情報入力手段と、該位置情報の再生表示形態に関する情報を設定する表示形態設定手段と、前記位置情報と前記再生表示形態情報を前記画像情報に関連付けて記録する情報記録手段とを有したことを特徴とする。
【００２７】
上記構成において、カメラは撮影画像に位置情報と、該撮影画像再生時の位置情報表示形態を指示する情報を互いに関連付けて記録する。
【００２８】
本出願に係る第２の発明のカメラは、前記位置情報は、経緯度等の座標に関する情報であることを特徴とする。
【００２９】
上記構成において、カメラは撮影画像に経緯度情報と、画像再生時に該経緯度情報をどのような表示形態にするのかを指示する情報を互いに関連付けて記録する。
【００３０】
本出願に係る第３の発明のカメラは、前記位置情報は、場所に関する名称を所定の規則に従って符号化した情報であることを特徴とする。
【００３１】
上記構成において、カメラは撮影画像に符号化された位置情報と、画像再生時に該位置情報をどのような表示形態にするのかを指示する情報を互いに関連付けて記録する。
【００３２】
本出願に係る第４の発明のカメラは、前記位置情報入力手段は、位置情報発信位置から発せられる位置情報信号を自動で取得することを特徴とする。
【００３３】
上記構成において、カメラは撮影画像に位置情報を自動で取得し、該画像再生時の位置情報表示形態を指示する情報と併せて撮影画像を記録する。
【００３４】
本出願に係る第５の発明のカメラは、前記表示形態設定手段は、複数の表示形態の中から所定の表示形態を選択して設定することを特徴とする。
【００３５】
上記構成において、撮影者により位置情報表示形態を選択可能とする。
【００３６】
本出願に係る第６の発明のカメラは、前記表示形態設定手段は、少なくとも経緯度、住所、場所に関する固有名称のいずれかを選択可能なことを特徴とする。
【００３７】
上記構成において、撮影者により位置情報表示形態を経緯度、住所、場所に関する固有名称の中から選択可能とする。
【００３８】
本出願に係る第７の発明の画像再生装置は、位置情報と該位置情報についての再生表示形態情報とが付加された画像情報を入力する画像入力手段と、前記再生表示形態情報に基づいて前記位置情報を再生用表示情報に変換する位置情報変換手段と、前記変換された再生用表示情報を前記画像に再付加して記録保存あるいは再生する画像再生手段とを有したことを特徴とする。
【００３９】
上記構成において、画像再生装置は位置情報表示形態を指示する情報に基づいて位置情報を再生用表示情報に変換し、画像と共に再生する。
【００４０】
本出願に係る第８の発明の画像再生装置は、前記位置情報は、経緯度等の座標に関する情報であることを特徴とする。
【００４１】
上記構成において、画像再生装置は経緯度等の座標に関する情報を再生用表示情報に変換し、画像と共に再生する。
【００４２】
本出願に係る第９の発明の画像再生装置は、前記位置情報は、場所に関する名称を所定の規則に従って符号化した情報であることを特徴とする。
【００４３】
上記構成において、画像再生装置は符号化された情報を再生用表示情報に変換し、画像と共に再生する。
【００４４】
本出願に係る第１０の発明の画像再生装置は、前記位置情報変換手段は、前記位置情報と前記再生用表示情報とを所定の規則に従って関連付けた地名辞書を含むことを特徴とする。
【００４５】
上記構成において、画像再生装置は地名辞書を用いて位置情報を再生用表示情報に変換し、画像と共に再生する。
【００４６】
本出願に係る第１１の発明の画像再生装置は、前記再生用表示情報は、少なくとも経緯度、住所、場所に関する固有名称のいずれかを含むことを特徴とする。
【００４７】
上記構成において、画像再生装置は位置情報を経緯度、住所、場所に関する固有名称等の再生用表示情報に変換し、画像と共に再生する。
【００４８】
本出願に係る第１２の発明の画像再生装置は、前記画像再生手段は、紙状の媒体に前記画像情報と再生用表示情報を再生することを特徴とする。
【００４９】
上記構成において、画像再生装置は位置情報を再生用表示情報に変換し、写真プリント上に画像と共に再生する。
【００５０】
【発明の実施の形態】
（第１の実施例）
図１ないし図１６は本発明の第１の実施例に係わる図である。
【００５１】
図１は本発明の第１実施例のカメラの概略構成と該カメラの使用状況を示す図である。
【００５２】
１０１は内蔵されたフィルムに被写体像と該被写体に関する情報を記録する機能を有したカメラで、撮影レンズ１０２、ファインダー接眼部１０３、電源スイッチに相当するメインスイッチ１０４、レリーズボタン１０５を有する。またカメラ１０１の背面には、液晶パネル等の表示手段１１１、スクロールボタン１１２、モード選択ボタン１１３、選択確定ボタン１１４、音声入力用マイクロホン１１５、音声入力スイッチ１１６が設置される。
【００５３】
１４１はカメラ１０１に着脱可能な送受信装置で、後述するＧＰＳ衛星と交信を行なう。
【００５４】
１５１はカメラ１０１が撮影する被写界、１５２は該被写界の中に存在し、撮影対象となっている人物、１５３は撮影場所にある背景の建物である。
【００５５】
１５４は地球を周回するＧＰＳ（Ｇｌｏｂａｌ  Ｐｏｓｉｔｉｏｎｉｎｇ  Ｓｙｓｔｅｍ）衛星で、測位用の電波を地上に向けて常時発信している。そして前記送受信装置１４１が複数のＧＰＳ衛星からの電波を受信し、公知の方法でカメラ１０１の座標的位置を認識する。
【００５６】
図２は本発明の画像再生装置で、該装置は画像編集装置１７１、フィルムスキャナ１８１、プリンタ１９１からなる。そして該装置は、図１のカメラ１０１で被写体像が記録され、現像機で現像処理されたフィルム上の画像と付加情報を入力し、合成、編集、検索、再生等を行なう機能を有する。
【００５７】
該画像編集装置１７１は、ＣＲＴ等の表示手段１７３、ＣＤドライブ１７４、ＰＣカードドライブ１７５を有している。またキーボード１７７、マウス１７８が接続される。
【００５８】
１８１はフィルムスキャナで、フィルムカートリッジ１８８内のフィルムに記録された画像と画像に付加された情報を読み取る。１９１はプリンタで、画像編集装置１７１で処理されたディジタル画像信号を受信し、ハードコピーとしての写真１９８を出力する。
【００５９】
図３は、図１のカメラの詳細構成を示す図である。
【００６０】
１２１はカメラ全体の動作を制御するＣＰＵで、ＲＯＭ、ＲＡＭ、ＥＥＰＲＯＭ、Ａ／Ｄ、Ｄ／Ａ変換機能を有する１チップマイコンである。１２２はＣＰＵ１２１やカメラ１０１内の各種回路、アクチュエータに電力を供給する電源である。
【００６１】
被写体からの光束は撮影レンズ１０２、クイックリターンミラー１２３、ペンタダハプリズム１２４、接眼レンズ１０３を介して撮影者が観察するためのファインダー像が形成される。また撮影時にはクイックリターンミラー１２３が上方に退避し、フォーカルプレンシャッター１２５で露光時間調節された被写体像が、フィルム１２６に記録される。
【００６２】
１２６はベース部材上に感光用乳剤と磁性媒体との混合物が塗布されたフィルムで、被写体像が光学的に、撮影位置情報等の付加情報が磁気的に記録される。
【００６３】
１２７は撮影レンズ１０２のズーム駆動及びフォーカシング駆動や、不図示の絞りを駆動するためのレンズ駆動手段である。１２８は前述のクイックリターンミラー１２３及びフォーカルプレンシャッター１２５のメカニカルチャージや、フィルム１２６の巻き上げ巻戻しを行なう巻き上げ手段である。
【００６４】
１０４はメインスイッチで、該スイッチが撮影者によってオンされると、ＣＰＵ１２１はスリープ状態から脱し、撮影に関する所定のプログラムの実行を許可する。１３１は測光、焦点調節等の撮影準備動作の実行を開始させる撮影準備スイッチ（ＳＷ１）、１３２はフィルム１２６への露光動作を開始させる撮影スイッチ（ＳＷ２）である。そしてこれらスイッチは前述のレリーズボタン１０５とメカニカルに連動しており、該ボタンの半押し操作でＳＷ１がオンされ、該ボタン１０５の全押し操作でＳＷ２がオンされ、前記撮影準備と撮影動作が実行される。
【００６５】
１３３はカメラ１０１に対して着脱可能に構成されたメモリで、撮影条件に関する情報や及び撮影位置情報を記憶する。該メモリはフラッシュメモリ、磁気ディスク等が用いられる。
【００６６】
１３４は磁気信号記録手段で、磁気ヘッドが前記フィルム１２６に当接し、該フィルムに塗布された磁性媒体に撮影情報及び位置情報を磁気的に記録する。
【００６７】
１１１は液晶パネル等で構成される表示手段で、カメラに設定された撮影条件や、画像に記録される情報を表示する。
【００６８】
１１２はスクロールボタンに連動したスクロールスイッチ群で、図１に示したスクロールボタン１１２の下には４個のスイッチが配置され、後述する方法でカメラの各種機能やデータの選択、変更が行なわれる。
【００６９】
１１３はカメラの種々の動作モードを選択するモード選択ボタンで、後述する撮影条件設定モードや位置情報形態設定モードを選択するための操作部材であり、選択されたモードに対応する情報が前記表示手段１１１に表示される。
【００７０】
１１４は選択確定ボタンで、選択された情報を確定する時に用いる操作部材である。
【００７１】
１１５はマイクロホンで、カメラの撮影条件の設定や、後述する位置情報形態の選択の際に用いられる。また必要に応じて、撮影時に被写体周辺の音を録音したり、撮影者の音声をメモとして録音するためにも用いられる。
【００７２】
１１６は音声入力ボタンで、該ボタン１１６の押圧操作により前記マイクロホン１１５からの音声入力が実行される。
【００７３】
次に送受信装置１４１の構成を説明する。
【００７４】
カメラ１０１に着脱可能に構成された受信装置１４１は、電波の送受信動作を制御するＣＰＵ１４２を有し、該ＣＰＵ１４２はコネクタ１４３を介してカメラＣＰＵ１２１と通信する。
【００７５】
１４４は送受信手段で、外界に対して電波を送受信するためのアンテナ手段と、ＣＰＵ１４２から受信した信号を送信電波波形に変換する変調手段と、受信された電波波形を変換してＣＰＵ１４２へ送信する復調手段とからなる。そして該送受信手段１４４は、地球を周回する複数の人工衝星と通信し、該衛星との通信情報から該受信手段１４４の現在位置を認識する。このような測位システムは、測位用途専用に運用されているＧＰＳシステム、あるいは通話機能と測位機能が複合化された衛星移動体通信システムが利用される。そのために、前記アンテナ手段は、弱い指向性あるいは無指向性のマイクロストリップアンテナ等が用いられる。
【００７６】
図４は、図２に示した画像再生装置の詳細構成を示す図である。
【００７７】
１７２は画像編集装置１７１の動作を制御するＣＰＵで、ＲＯＭ、ＲＡＭ、ＥＥＰＲＯＭ、Ａ／Ｄ、Ｄ／Ａ変換機能を有する制御装置である。１７３はＣＲＴ、液晶モニタ、プラズマディスプレイ等で構成された表示手段で、画像編集装置１７１やこれに接続される周辺機器の状態、及び各種制御プログラムの実行画面やデータを表示する。
【００７８】
１７４は、ＣＤドライブで、装着されたＣＤ−ＲＯＭより種々の情報を読み出し、その内容をＣＰＵ１７２に送信する。１７５は不図示のＰＣカードとデータの授受を行なうためのカードドライブである。１７６は後述する画像再生プログラムを記憶するとともに画像データ等の各種データを保存するハードディスクである。１７７はデータ入力用キーボード、１７８はマウスである。
【００７９】
１７９は地名辞書が記録されたＣＤ−ＲＯＭである。該地名辞書は、座標的位置情報あるいは符号化位置情報と、地理的位置情報あるいは社会的位置情報が関連付けて記憶されたものである。また、地図と座標的位置情報が対応付けられた電子地図も記録されている。
【００８０】
１８１は画像入力装置に相当するフィルムスキャナで、１８２は該スキャナの各種動作を制御するＣＰＵであり、ＲＯＭ、ＲＡＭ、ＥＥＰＲＯＭ、Ａ／Ｄ、Ｄ／Ａ変換機能を有する制御装置である。そして不図示の現像機で現像処理されたフィルムが収納されたフィルムカートリッジ１８８が装填されると、フィルム駆動部１８３がカートリッジよりフィルムを引き出し、光学読み取り部１８４がフィルムの画像情報を読み取ってディジタル画像信号に変換すると共に、磁気読み取り部１８５がフィルムの磁気層に記録された各種付加情報を読み取る。上記フィルムスキャン動作は画像編集装置１７１からの命令によって実行され、読み取った画像信号と付加情報は画像編集装置１７１に転送される。
【００８１】
１９１は画像出力装置としてのプリンタで、銀塩印画紙に３原色のレーザ光で感光を行なう銀塩プリンタ、昇華型プリンタ、インクジェットプリンタ、電子写真式のレーザービームプリンタ等が用いられる。１９２は該プリンタの各種動作を制御するＣＰＵであり、ＲＯＭ、ＲＡＭ、ＥＥＰＲＯＭ、Ａ／Ｄ、Ｄ／Ａ変換機能を有する制御装置である。１９３は出力されるプリント用紙を駆動する給紙部、１９４は該用紙の表面に画像を形成する印刷部、１９５は該用紙の裏面に文字情報等を印字する印字部である。上記印刷動作は画像編集装置１７１からの命令によって実行され、その実行結果が写真（いわゆるプリント）１９８として排出される。
【００８２】
続いて図５ないし図８を用いて、撮影前のカメラ１０１における初期設定操作を説明する。
【００８３】
図５はカメラ１０１のメインスイッチ１０４をオン操作し、カメラに電源を投入した時の初期画面説明図で、図１において説明したカメラ１０１の背面に配置された表示手段１１１と各種操作部材を併せて示している。表示手段１１１内の１００１ないし１００３はカメラの動作モード表示部、１００８は動作モード選択指標である。以下に各設定モードを説明する。
【００８４】
１００１の「撮影条件設定」モードは、カメラの露出制御プログラム線図、オートフォーカスモード、連写単写切り換え等の撮影条件を設定するモードである。詳しくは図６で説明する。
【００８５】
１００２の「位置情報形態設定」モードは、撮影時に取得した位置情報を、画像再生時にどのような形態で表示するかを指定するモードである。詳しくは図７で説明する。
【００８６】
１００３の「個人的位置情報登録」モードは、撮影者個人が所望の位置名称を任意文字として登録するモードである。詳しくは図８で説明する。
【００８７】
上記各動作モードは、モード選択ボタン１１３を一回押圧操作する毎に、選択指標１００８が順次下に移動する。そして実行したい動作モードに該指標１００８が設定された後に選択確定ボタン１１４を押圧操作すると、該当モードの実行が開始され、図５ないし図８の画面に切り替わる。
【００８８】
図６は「撮影条件設定」を行なうプログラムの実行画面説明図である。
【００８９】
１０１１は露出制御モードを設定し、その結果を表示する表示部で、当図ではシャッター優先ＡＥが選択されていることを示す。１０１２は焦点調節モード（オートフォーカスモード）を設定し、その結果を表示する表示部で、当図ではワンショットＡＦ、すなわち一度合焦したら調節動作を不作動とするＡＦモードが選択されていることを示す。１０１３はフィルム給送モードを設定し、その結果を表示する表示部で、当図ではＳｉｎｇｌｅ・Ｄｒｉｖｅすなわち単写モードが選択されていることを示す。これらの撮影情報設定方法は公知のために詳しい説明は省略する。
【００９０】
図７は「位置情報形態設定」を行なうプログラムの実行画面説明図である。
【００９１】
１０２１は、画像編集装置１７１の表示手段１７２に再生される撮影画像上に重ねて表示される位置情報、あるいはプリント１９８上に表示される位置情報を、社会的位置情報である「施設名」と指定する場合の表示部である。１０２２は、同じく前記表示手段１７２あるいはプリント１９８上に表示される位置情報を、地理的位置情報である「住所」と指定する場合の表示部である。１０２３は、同じく前記表示手段１７２あるいはプリント１９８上に表示される位置情報を、座標的位置情報である「経緯度」と指定する場合の表示部である。１０２４は、同じく前記表示手段１７２あるいはプリント１９８上に表示される位置情報を、撮影者が事前登録した個人的位置情報と指定する場合の表示部である。１０２５は、同じく前記表示手段１７２あるいはプリント１９８上に位置情報を表示しない旨を指定する場合の表示部である。
【００９２】
上記各設定モードは、スクロールボタン１１２の上下方向の押圧部を押圧操作するごとに、選択指標１０２８が上下に移動する。そして所望の位置情報形態に該指標１０２８が設定された後に選択確定ボタン１１４を押圧操作すると、撮影時に撮影画像と共に、カメラが取得した位置情報と本画面で設定した位置情報表示形態に関する情報が、フィルムの磁気情報記録部に記録される。
【００９３】
図８は「個人的位置情報登録」を行なうプログラムの実行画面説明図である。
【００９４】
１０３１は登録すべき位置名称の入力表示部で、スクロールボタン１１２の押圧操作で所望の名称を入力する。具体的には、スクロールボタンの上下方向の押圧操作に応じてひらがなやアルファベットが順に表示され、所望の文字が現れたらスクロールボタンの右方向の押圧操作で次の文字の選択に移る。そして所望の文字列、例えば「じたく」という文字列の設定が終了したら、音声入力ボタン１１６を押圧操作しながら、「へんかん」と発音し、漢字変換を指示する。そして「自宅」の文字が現れたら確定ボタンを押圧する事で、「自宅」という個人的位置情報の登録が完了する。
【００９５】
図９は、図５ないし図８で説明したカメラ１０１における各種動作モードの設定操作及び撮影操作のメイン制御フローを示すフローチャートである。図１ないし図８を参照しながら、図９のフロー図を用いてメイン制御フローの概略を説明する。
【００９６】
ステップＳ１００１よりステップＳ１００２におい。て、撮影者によって図１のカメラ１０１のメインスイッチ１０４がオンされると、ステップＳ１００３において表示器１１１には図５の初期画面が表示される。
【００９７】
ステップＳ１００４では、撮影者がレリーズボタン１０５に連動した撮影準備スイッチ１３１（ＳＷ１）をオン操作したか否かが判別される。そして該スイッチ１３１がオン操作されていたら、ステップＳ１６０１においてレリーズサブルーチンを実行する。レリーズサブルーチンの詳細は後述する。
【００９８】
ステップＳ１００４でスイッチ１３１がオン操作されていないと判定された時は、ステップＳ１００５に進み、カメラ１０１のモードボタン１１３の押圧操作を認識する。そしてステップＳ１００６において、認識した該ボタンの押圧操作回数に応じてステップＳ１１０１ないしステップＳ１３０１の各サブルーチンを実行する。ここでステップＳ１１０１ないしステップＳ１３０１の各サブルーチンは、図６ないし図８で説明した各種入力操作の実行サブルーチンで、具体的な制御フローは図１０及び図１１で説明する。
【００９９】
そして上記サブルーチンあるいはレリーズサブルーチンを実行後は、ステップＳ１００３に戻り、カメラのメインスイッチ１０４がオフされるまで、上記フローを繰り返し実行する。
【０１００】
図１０及び図１１は、図９に示したメインルーチン内の各サブルーチンの制御フロー図である。ただし図９のステップＳ１１０１の「撮影条件設定」サブルーチンのフローは公知のため、説明は省略する。
【０１０１】
図１０は図９で示したステップＳ１２０１の「位置情報形態設定」サブルーチンの制御フロー図である。図１０と図７を参照して「位置情報形態設定」サブルーチンを説明する。
【０１０２】
ステップＳ１２０１を経由して、ステップＳ１２０２では画像再生時の位置情報形態の選択操作を受け付ける。具体的には図７で説明したように、スクロールボタン１１２の上下方向の押圧部を押圧操作するごとに、選択指標１００８が上下に移動し、所望の位置情報形態の選択を受け付ける。
【０１０３】
ステップＳ１２０３では、選択確定ボタンがオン操作されたか否かを判別する。すなわち、前記ステップＳ１２０２で所望の位置情報形態に該指標１００８が設定された後に、撮影者が選択確定ボタン１１４を押圧操作すると、ステップＳ１２０３からステップＳ１２０４へ進み、ステップＳ１２０４で画像再生時の位置情報形態を確定し、ステップＳ１２０５で図９のメインルーチンにリターンする。
【０１０４】
図１１は図９で示したステップＳ１３０１の「個人的位置情報登録」サブルーチンの制御フロー図である。図１１と図８を参照して個人登録サブルーチンを説明する。
【０１０５】
ステップＳ１３０１を経由して、ステップＳ１３０２では任意文字の入力受け付けを行なう。具体的には図８で説明したように、スクロールボタンの上下方向の押圧操作に応じてひらがなやアルファベットが順に表示され、所望の文字が現れたらスクロールボタンの右方向の押圧操作で次の文字の選択に移る。
【０１０６】
ステップＳ１３０３では、音声による漢字変換指示がなされたか否かを判別し、該指示がなされていない時はステップＳ１３０２に戻って文字選択操作の継続を許可する。ステップＳ１３０３で漢字変換指示がなされたと判別されたら、ステップＳ１３０４に進む。
【０１０７】
ステップＳ１３０４では、カメラ１０１が有する漢字辞書から上記ステップで入力された文字に該当する漢字を選択し、表示手段１１１の表示部１０３１に表示する。
【０１０８】
ステップＳ１３０５では選択確定ボタンがオン操作されたか否かを判別し、オン操作されていなければステップＳ１３０４に戻って漢字変換を繰り返し、オン操作された場合はステップＳ１３０６に進んで個人的位置情報の登録を確定し、ステップＳ１３０７で図９のメインルーチンにリターンする。
【０１０９】
図１２は図８で示したステップＳ１６０１のレリーズサブルーチンの制御フロー図である。前述の図１ないし図１１を参照しながら、図１２のフロー図を用いて撮影動作を説明する。
【０１１０】
撮影者により、図１のレリレズボタン１０５が半押し操作されると、撮影準備スイッチ１３１（ＳＷ１）がオンされ、図９のステップＳ１００４からステップＳ１６０１に移行して図１２のレリーズサブルーチンが実行される。
【０１１１】
図１２においては、ステップＳ１６０１を経由して、ステップＳ１６０２に進む。ステップＳ１６０２では、図６の撮影条件設定画面で設定された撮影モードに従い、被写体輝度の測定（測光）、焦点調節等の撮影準備動作を行なう。そしてその結果に基づいて、絞り制御値、シャッター制御値の演算も行なう。
【０１１２】
ステップＳ１６０３では、図３の送受信手段１４１を用いて複数のＧＰＳ衛星からの測位電波を時系列的に受信する。
【０１１３】
ステップＳ１６０４では、上記ステップＳ１６０３で受信した電波に基づいて測位演算を行ない、ステップＳ１６０５では取得した測位データ、すなわち経緯度情報を座標的位置情報として確定し、ＲＡＭに記憶する。
【０１１４】
ステップＳ１６２１では撮影準備スイッチ１３１（ＳＷ１）の状態検知を行ない、オフであればステップＳ１６２２にジャンプして図９のメインルーチンにリターンする。該スイッチ１３１がオンのままならステップＳ１６４１に進む。
【０１１５】
ステップＳ１６４１では、図１のレリーズボタン１０５が全押し操作されたか否か、すなわち図３のスイッチ１３２（ＳＷ２）がオンされたか否かを判定する。そして該スイッチ１３２がオンしていなければ、ステップＳ１６０２に戻って測光、焦点調節及び測位動作を繰り返し実行する。スイッチ１３２がオン操作されたらステップＳ１６４１からステップＳ１６４２に進み、以降のレリーズ動作を実行する。
【０１１６】
ステップＳ１６４２では、図３のクイックリターンミラー１２３を撮影光束外に退避させると共に、不図示の絞り機構を駆動する。
【０１１７】
ステップＳ１６４３では、ステップＳ１６０２で演算したシャッター秒時に基づいて図３のシャッター機構１２５を制御し、フィルムに被写体像を記録する。
【０１１８】
ステップＳ１６４４では、図３のクイックリターンミラー１２３を撮影光束内の初期位置に復帰させると共に、不図示の絞り機構を開放に復帰駆動する。
【０１１９】
ステップＳ１６４５では、図３の巻き上げ手段を駆動して、クイックリターンミラー１２３及びフォーカルプレンシャッター１２５のメカニカルチャージと共に、フィルム１２６の１駒分の巻き上げを行なう。
【０１２０】
ステップＳ１６４６では、前記フィルム給送中に図３の磁気信号記録手段１３４を用いて、フィルムの磁気媒体にシャッター秒時や絞り値等の撮影情報及び撮影日時情報、ステップＳ１６０５で確定した座標的位置情報、及び図１０のステップＳ１２０４で確定された位置情報形態を磁気的に記録する。
【０１２１】
ステップＳ１６４７においては、前記ステップＳ１６４６でフィルムの磁気媒体に記録した種々の情報を、メモリ１３３にも記録する。
【０１２２】
ステップＳ１６４８では、ステップＳ１６４６で座標的位置情報と位置情報形態を表示手段１１１に表示する。ステップＳ１６４８を実行後は、ステップＳ１６５１にて図９のメインルーチンにリターンする。
【０１２３】
以上がカメラ１０１における撮影前の各種動作モードの設定と、撮影動作の説明である。上記動作で撮影されたフィルムには、図１３に示すように画像と付加情報が記録される。
【０１２４】
図１３において、１０６１は図２のフィルムカートリッジ１８８から引き出された現像済みフィルムを表わし、画像記録部１０６２、磁気情報記録用第１トラック１０６３及び第２トラック１０６４を有す。各トラックには複数組のデータが記録され、各データはデータの種別を表わすＩＤ部とデータ内容を記録したＤＡＴＡ部で構成される。図１３においては、第１トラック１０６３に撮影情報と位置情報が記録されている。
【０１２５】
ＩＤ１及びＤＡＴＡ１は、シャッター秒時、絞り値、被写体輝度等の撮影情報を表わすデータ群である。ＩＤ２及びＤＡＴＡ２は、カメラが取得した位置情報を表わすデータ群で、本実施例では経緯度に相当する。ＩＤ３及びＤＡＴＡ３は、画像再生時の位置情報形態を指示するデータ群である。
【０１２６】
次に、画像再生装置で撮影画像をプリントアウトする工程を説明する。図１４は、図２及び図４に示した本発明の第１実施例における画像再生装置の画像出力フローを示す図で、図２及び図４と併せて図１４のフローを説明する。
【０１２７】
画像編集装置１７１の不図示の電源スイッチをオン操作すると、ステップＳ１７０２においてＣＰＵ１７２はスリープ状態から制御状態に起動され、画像再生装置１７１内の各回路や周辺機器に電源が投入されるとともに、画像再生フローの実行が許容される。そして、ステップＳ１７０３において表示器１７３には不図示の初期画面が表示される。
【０１２８】
ステップＳ１７０４では、現像済みフィルムからの画像スキャンを実行するか否かの命令を受け付ける。そして撮影者が画像スキャンの命令を入力した場合にはステップＳ１７０６へ進む。該命令を指示していない時はステップＳ１７０３へ戻る。
【０１２９】
ステップＳ１７０６では、図４のフィルムスキャナ１８１を起動し、フィルムに記録された光学画像を読み取り、その結果をＣＰＵ１７２に転送する。具体的には、図１３のフィルム１０６１上の画像記録部１０６２の光学像を読み取る。
【０１３０】
ステップＳ１７０７では上記ステップＳ１２１１の画像読み取りと並行してフィルムの磁気層に記録された各種付加情報を読み取り、その結果をＣＰＵ１７２に転送する。具体的には、図１３のフィルム１０６１上の第１トラック１０６３及び第２トラック１０６４に記録された磁気情報を読み取る。ここで読み取られた磁気情報は、カメラに設定された撮影条件や撮影日時、撮影時に取得された座標的位置情報、及び撮影前に設定された位置情報形態である。
【０１３１】
ステップＳ１７０８では、前記ステップＳ１７０７で読み取った位置情報形態の種別を認識する。そして該位置情報形態が「施設名」である時はステップＳ１７１１に進む。ステップＳ１７１１では、図４のＣＤドライブ１７４に装着されたＣＤ−ＲＯＭ１７９内の地名辞書の内容を読み出しする。ステップＳ１７１２では、上記ステップＳ１７０７で読み出しした座標的位置情報と、ステップＳ１７１１で読み出しした地名辞書とを照合して、該座標的位置に対応する建造物等の名称を特定する。ステップＳ１７１２実行後はステップＳ１７５１に進む。
【０１３２】
ステップＳ１７０８において、位置情報形態が「住所」である時はステップＳ１７２１に進む。ステップＳ１７２１では、前記ステップＳ１７１１と同様に地名辞書を読み出しする。ステップＳ１７２２では、上記ステップＳ１７０７で読み出しした座標的位置情報と、ステップＳ１７２１で読み出しした地名辞書１７９とを照合して、該座標的位置に対応する住所を特定する。ステップＳ１７２２実行後はステップＳ１７５１に進む。
【０１３３】
ステップＳ１７０８において、位置情報形態が「経緯度」である時はステップＳ１７３１に進む。ステップＳ１７３１では、上記ステップＳ１７０７で読み出しした座標的位置情報を、経緯度の一般的な表記方法である度、分、秒からなる６０進数表記に変換する。ステップＳ１７３１実行後はステップＳ１７５１に進む。
【０１３４】
ステップＳ１７０８において、位置情報形態が「個人的位置情報」である時はステップＳ１７４１に進む。ステップＳ１７４１では、図１１の個人的位置情報登録サブルーチンで登録した登録名称をＲＯＭから読み出す。ステップＳ１７４１実行後はステップＳ１７５１に進む。
【０１３５】
ステップＳ１７０８において、位置情報形態が「無し」である時は、再生画像に位置情報を付加しないので、何も実行せずにステップＳ１７５１に進む。
【０１３６】
以上のごとく、上記ステップＳ１７０８の認識結果に応じた各分岐のフローを実行後はステップＳ１７５１に進む。ステップＳ１７５１では、上記ステップＳ１７１２、ステップＳ１７２２、ステップＳ１７３１、ステップＳ１７４１で決定された位置情報を再生用文字にフォント化し、ステップＳ１７０６で入力した画像と該フォントを合成する。
【０１３７】
ステップＳ１７５２では、フィルムスキャナから入力した撮影画像と付加情報、及び前記ステップＳ１７１２、ステップＳ１７２２、ステップＳ１７３１、ステップＳ１７４１等で新たに創生された位置情報をハードディスク１７６に記録保存する。
【０１３８】
ステップＳ１７５３では、前記ステップＳ１７５１で創生された位置情報付き再生画像を表示手段１７３に再生表示する。
【０１３９】
ステップＳ１９０１では、前記ステップＳ１７５１で創生された位置情報付き再生画像をプリントアウトするサブルーチンを実行する。具体的にはプリントアウト命令をプリンタ１９１に送信する。詳しくは図１５で説明する。
【０１４０】
図１５は、プリンタ１９１で実行されるプリント動作のフロー図である。プリンタ１９１は、画像編集装置１７１のＣＰＵ１７２からプリントアウト命令を受信すると、ステップＳ１９０１からステップＳ１９０２に進む。
【０１４１】
ステップＳ１９０２では、ＣＰＵ１７２から送信された再生画像を、自身が有する画像印刷部１９４の特性に応じた印刷用画像データに展開する。ステップＳ１９０３では、プリント用の紙媒体を印刷実行部に給紙する。
【０１４２】
ステップＳ１９０４では、前記紙媒体の表面に再生画像の描画動作を実行する。例えばプリンタ１９１が銀塩プリンタであれば、表印刷部１９４は印画紙上に３原色のレーザ光を照射する。またプリンタ１９１がインクジェットプリンタであれば、表印刷部１９４は普通紙上にＣＭＹＫインク滴を吐出する。
【０１４３】
ステップＳ１９０５では、前記紙媒体の裏面に撮影時のシャッター秒時や絞り値等の撮影情報や撮影日時等を印字する。
【０１４４】
ステップＳ１９０６では、印刷が完了した紙媒体を排出し、ステップＳ１９０７で図１４のメインルーチンにリターンして１つの画像のプリント動作が終了する。
【０１４５】
図１６は、上記フローにて出力されたプリントを示した図である。プリント１０９１の表面１０９２には、撮影画像の再生像１０９３が描写される。またプリント表面の左下部には、図７の位置情報形態設定画面上で選択された位置情報形態に応じた位置情報１１９１ないしは１１９５が再生される。たとえば図７において、画像再生時の位置情報形態として社会的位置情報である施設名が選択されていれば、プリント１０９１上には撮影場所の施設名、ここでは公園名１１９１が再生される。あるいは、画像再生時の位置情報形態として座標的位置情報である経緯度が選択されていれば、プリント１０９１上には撮影場所の経緯度１１９３が再生される。また、画像再生時の位置情報形態として個人的位置情報が選択されていれば、プリント１０９１上には予め登録された任意文字１１９４が再生される。あるいは、画像再生時に位置情報を表示しない選択がなされていれば、プリント１０９１上には１１９５のごとく位置情報表示部は空欄のまま、画像のみが表示される。
【０１４６】
一方、プリント１０９１の裏面１０９４には、撮影日時や、撮影時の焦点距離、絞り値、シャッター秒時等の撮影情報１１９６が印字される。
【０１４７】
以上がカメラにおける位置情報再生形態の選択と撮影、及び画像再生装置における位置情報付き画像の再生の各動作の説明である。ここで撮影準備から撮影、及び画像再生までの一連の手順を以下に簡単に説明する。
【０１４８】
操作者は撮影前に、撮影画像をプリント等の形態で再生する際の撮影位置情報の表示形態をカメラ上で指定する。続いて撮影を行なうと、カメラはフィルム上に被写体像を潜像として記録すると共に、フィルムに塗布された磁気記録層に撮影位置情報、及び該撮影位置情報の表示形態指示情報を記録する。
【０１４９】
撮影終了後、撮影者が撮影済みフィルムを現像所に持ち込んでプリント依頼すると、未現像フィルムは現像機で現像される。その後、現像処理されたフィルムは画像再生装置において、顕像となった撮影画像が光電変換されてディジタル画像信号に変換されると共に、前記磁気記録層に記録された撮影位置情報、及び該撮影位置情報の表示形態指示情報が読み出しされる。そしてＣＤ−ＲＯＭに内蔵された地名辞書を用いて、撮影位置情報と該撮影位置情報の表示形態指示情報から再生画像に併せて表示される位置情報を生成し、印画紙等の紙媒体上に撮影画像と位置情報を重ねてプリントアウトし、撮影者に返却する。
【０１５０】
上記第１の実施例によれば、
（１１）カメラが有する位置情報取得手段の種別に限定されること無く、画像上に、所望の表示形態の位置情報を再生できるので、画像の再生形態に適した位置情報が利用でき、位置情報の利用価値が高まる。例えば画像利用の主目的がプリントによる鑑賞の場合、撮影時に取得した位置情報が経緯度等の座標情報であっても、プリント上には施設名や住所の形態で再生可能なので、プリントの鑑賞や整理に好都合である。また、フィルムには経緯度情報として記録されているため、フィルムスキャナで読み取った画像情報を画像編集装置上でディジタル画像として記録し、検索する場合には、経緯度情報も付加されているため、検索効率が良い。
【０１５１】
（１２）情報量の大きな地名辞書をカメラに搭載せずに済むため、小型で安価なカメラが提供できる。
【０１５２】
（１３）地名辞書をカメラではなく、画像再生装置に搭載するため、地名辞書のバージョンアップ作業が容易である。
【０１５３】
（１４）撮影時に面倒な地名変換操作が不要なため、撮影に専念できてシャッターチャンスを逃すことが無い。
という効果がある。
【０１５４】
（第２の実施例）
前記第１の実施例は、撮影位置情報として、ＧＰＳ衛星からの測位用電波を用いる実施形態を示した。
【０１５５】
以下に示す第２の実施例は、ＧＰＳ衛星からの電波の代わりに、地上に設置された場所情報発信用アンテナからの電波を受信し、記録する実施例を示す。
【０１５６】
図１７ないし図２４は本発明の第２の実施例に係わる図である。
【０１５７】
図１７は本発明の第２実施例のカメラの概略構成と該カメラの使用状況を示す図である。
【０１５８】
カメラ２０１が有する１０２ないし１１６の部材は図１における第１実施例のカメラ１０１の部材と同様の機能を有するため、説明は省略する。
【０１５９】
２４１はカメラ２０１に着脱可能な送受信装置で、後述する場所情報発信用アンテナと交信を行なう。
【０１６０】
２５４は観光地等に設置された場所情報発信用アンテナで、その場所に固有のコード化情報、すなわち符号化位置情報を周囲の狭い範囲内に向けて常時発信している。そして前記送受信装置２４１が該アンテナ２５４からの電波を受信し、撮影画像と共に記録する。
【０１６１】
図１８は第２実施例における画像再生装置で、地名辞書２７９の内容、フィルムカートリッジ内のフィルムに書き込まれたデータ及びプリント２９８の表示内容が第１実施例と異なるが、装置自体は図２に示した第１実施例と同様の機能を有する。
【０１６２】
２７９は地名辞書が記録されたＣＤ−ＲＯＭ、２８８は撮影済みフィルムが収納されたフィルムカートリッジ、２９８は出力されたプリントである。
【０１６３】
図１９は、図１７のカメラの詳細構成を示す図である。第１実施例と異なる部分のみを説明する。
【０１６４】
２２１はカメラ全体の動作を制御するＣＰＵで、第１実施例のＣＰＵ１２１と同一構造を有し、カメラを制御するフローの内容のみが異なる。
【０１６５】
２４１はカメラに対して着脱可能な送受信装置で、電波の送受信動作を制御するＣＰＵ２４２を有し、該ＣＰＵ２４２はコネクタ２４３を介してカメラＣＰＵ２２１と通信する。
【０１６６】
２４４は第１の送受信手段で、第１実施例の１４４と同一の構造である。２４５は第２の送受信手段で、図１７に示した場所情報発信用アンテナ２５４との間で電波を送受信するためのアンテナ手段と、ＣＰＵ２４２から受信した信号を送信電波波形に変換する変調手段と、受信された電波波形を変換してＣＰＵ２４２へ送信する復調手段とからなる。そして該送受信手段２４５が有するアンテナは、前記場所情報発信用アンテナ２５４と通信するのに適した、弱い指向性あるいは無指向性のアンテナが用いられる。具体的には、所定の平面上の全周方向に感度を有したダイポールアンテナが好適である。
【０１６７】
以上を除く他の部材は、図３の第１実施例のカメラ１０１と同一である。
【０１６８】
図２０は、図１８に示した画像再生装置の詳細構成を示す図である。
【０１６９】
当図において、画像編集装置１７１及びその周辺機器の構成は図４に示した第１実施例のものと同一で、ＣＤ−ＲＯＭ２７９のデータ内容、及びプリント２９８の表示形態のみが異なる。
【０１７０】
２７９は地名辞書が記録されたＣＤ−ＲＯＭである。該地名辞書は、符号的位置情報と、地理的位置情報あるいは社会的位置情報が関連付けて記憶されたものである。また、地図と符号的位置情報及び座標的位置情報が対応付けられた電子地図も記録されている。
【０１７１】
２８８はフィルムカートリッジで、後述する形式で画像及びデータが記録された撮影済みフィルムを収納している。
【０１７２】
２９８は画像が印刷されたプリントで、後述する様に画像上に位置情報が付加されて出力される。
【０１７３】
続いて第２実施例のカメラ２０１と画像再生装置の操作手順及び制御フローについて説明する。第１実施例の図５及び図６に相当する操作は、第２実施例でも同一のため、説明を省略する。
【０１７４】
図２１は、カメラ２０１における「位置情報形態設定」を行なうプログラムの実行画面説明図で、第１実施例の図７に相当する。
【０１７５】
２０２１は、画像編集装置１７１の表示手段１７２に再生される撮影画像上に重ねて表示される位置情報、あるいはプリント２９８上に表示される位置情報を、符号的位置情報である「地名コード」と指定する場合の表示部である。２０２２は、同じく前記表示手段１７２あるいはプリント２９８上に表示される位置情報を、前記符号的位置情報に対応した名称である「地名・施設名」と指定する場合の表示部である。１０２３ないし１０２５は図７の第１実施例と同様の内容を示す。
【０１７６】
上記各設定モードは、スクロールボタン１１２の上下方向の押圧部を押圧操作するごとに、選択指標１０２８が上下に移動する。そして所望の位置情報形態に該指標１０２８が設定された後に選択確定ボタン１１４を押圧操作すると、撮影時に撮影画像と共に、カメラが取得した位置情報と本画面で設定した位置情報表示形態に関する情報が、フィルムの磁気情報記録部に記録される。
【０１７７】
第１実施例の図８に相当する操作は、第２実施例でも同一のため、説明を省略する。また、第１実施例の図９ないし図１２に相当する制御フローは、第２実施例でも同一のため、説明を省略する。
【０１７８】
以上がカメラ２０１における撮影前の各種動作モードの設定と、撮影動作の説明である。上記動作で撮影されたフィルムには、図２２に示すように画像と付加情報が記録される。
【０１７９】
図２２において、２０６１は図２０のフィルムカートリッジ２８８から引き出された現像済みフィルムを表わし、画像記録部２０６２、磁気情報記録用第１トラック２０６３及び第２トラック２０６４を有す。各トラックには複数組のデータが記録され、各データはデータの種別を表わすＩＤ部とデータ内容を記録したＤＡＴＡ部で構成される。図２２においては、第１トラック２０６３に撮影情報と位置情報が記録されている。
【０１８０】
ＩＤ２１及びＤＡＴＡ２１は、第１実施例と同様にシャッター秒時、絞り値、被写体輝度等の撮影情報を表わすデータ群である。ＩＤ２２及びＤＡＴＡ２２は、カメラが取得した位置情報を表わすデータ群で、本実施例では地名コードに相当する。ＩＤ２３及びＤＡＴＡ２３は、画像再生時の位置情報形態を指示するデータ群である。
【０１８１】
図２３は画像再生装置の画像出力フローを示す図で、第１実施例の図１４に相当する。
【０１８２】
画像編集装置１７１の不図示の電源スイッチをオン操作すると、ステップ２７０２においてＣＰＵ１７２はスリープ状態から制御状態に起動され、画像再生装置１７１内の各回路や周辺機器に電源が投入されるとともに、画像再生フローの実行が許容される。そして、ステップＳ２７０３において表示器１７３には不図示の初期画面が表示される。
【０１８３】
ステップＳ２７０４では、現像済みフィルムからの画像スキャンを実行するか否かの命令を受け付ける。そして撮影者が画像スキャンの命令を入力した場合にはステップＳ２７０５からステップＳ２７０６へ進む。該命令を指示していない時はステップＳ２７０５からステップＳ２７０３へ戻る。
【０１８４】
ステップＳ２７０６では、図２０のフィルムスキャナ１８１を起動し、フィルムに記録された光学画像を読み取り、その結果をＣＰＵ１７２に転送する。具体的には、図２２のフィルム２０６１上の画像記録部２０６２の光学像を読み取る。
【０１８５】
ステップＳ２７０７では上記ステップＳ２７０６の画像読み取りと並行してフィルムの磁気層に記録された各種付加情報を読み取り、その結果をＣＰＵ１７２に転送する。具体的には、図２２のフィルム２０６１上の第１トラック２０６３及び第２トラック２０６４に記録された磁気情報を読み取る。ここで読み取られた磁気情報は、カメラに設定された撮影条件や撮影日時、撮影時に取得された符号的位置情報、及び撮影前に設定された位置情報形態である。
【０１８６】
ステップＳ２７０８では、前記ステップＳ２７０７で読み取った位置情報形態の種別を認識する。そして該位置情報形態が「地名コード」である時はステップＳ２７１１に進む。ステップＳ２７１１では、カメラ２０１の送受信装置２４１が場所情報発信用アンテナ２５４より受信した地名コードを、１０進数表記に変換し、ステップＳ２７５１に進む。
【０１８７】
ステップＳ２７０８において、位置情報形態が「地名・施設名」である時はステップＳ２７２１に進む。ステップＳ２７２１では、図１９のＣＤドライブ１７４に装着されたＣＤ−ＲＯＭ２７９内の地名辞書の内容を読み出しする。ステップＳ２７２２では、上記ステップＳ２７０７で読み出しした符号的位置情報と、ステップＳ２７２１で読み出しした地名辞書とを照合して、該符号的位置に対応する地名や施設名を特定する。ステップＳ２７２２実行後はステップＳ２７５１に進む。
【０１８８】
ステップＳ２７０８において、位置情報形態が「経緯度」である時はステップＳ２７３１に進む。ステップＳ２７３１では、前記ステップＳ２７２１と同様に地名辞書を読み出しする。ステップＳ２７３２では、上記ステップＳ２７０７で読み出しした符号的位置情報と、ステップＳ２７３１で読み出しした地名辞書２７９とを照合して、該符号的位置に対応する経緯度を特定し、これを一般的な表記方法である度、分、秒からなる６０進数表記に変換する。ステップＳ２７３２実行後はステップＳ２７５１に進む。
【０１８９】
ステップＳ２７０８において、位置情報形態が「個人的位置情報」である時は、第１実施例と同様にステップＳ２７４１を実行した後、ステップＳ２７５１に進む。
【０１９０】
ステップＳ２７０８において、位置情報形態が「無し」である時は、再生画像に位置情報を付加しないので、何も実行せずにステップＳ２７５１に進む。
【０１９１】
以上のごとく、上記ステップＳ２７０８の認識結果に応じた各分岐のフローを実行後はステップＳ２７５１に進み、ステップＳ２７５２ないしステップＳ２９０１を実行してプリントアウトが完了する。
【０１９２】
第１実施例の図１５に相当する制御フローは、第２実施例でも同一のため、説明を省略する。
【０１９３】
図２４は、上記フローにて出力された第２実施例におけるプリントを示した図である。プリント２０９１の表面２０９２には、撮影画像の再生像２０９３が描写される。またプリント表面の左下部には、図２１の位置情報形態改定画面上で選択された位置情報形態に応じた位置情報２１９１ないしは２１９５が再生される。たとえば図２１において、画像再生時の位置情報形態として符号的位置情報である地名コードが選択されていれば、プリント２０９１上には地名コードが再生される。また図２１において、画像再生時の位置情報形態として符号的位置情報である地名・施設名が選択されていれば、プリント２０９２上には該当する固有の地名・施設名が再生される。ここでは公園名２１９２が再生される。表示２１９３以降は第１実施例と同一である。
【０１９４】
上記第２の実施例によれば、前記第１実施例の効果１１ないし１４に加えて、
（２１）データ量の少ない符号化情報をカメラに記録することで、カメラあるいはフィルムの記録部の容量が少なくて済み、カメラが安価にでき、かつ再生画像上には情報量が豊富で利用価値が高い位置情報が再生可能である。
という効果がある。
【０１９５】
（他の変形例）
第１及び第２の実施例では、カメラにおける撮影手段として、磁気記録部を有する銀塩フィルムを用いる実施形態を示したが、ＣＣＤの撮像素子で取得した画像信号を着脱可能なメモリ手段に記録する、いわゆる電子カメラでも構わない。この場合、メモリ手段に記録された画像ファイルは、ヘッダ情報付き画像ファイルになり、該ヘッダ情報部に撮影時に取得した位置情報と、該撮影画像再生時の位置情報表示形態を指示する情報が記録される。この場合、画像再生装置は、前記メモリ手段あるいは通信回線を経由してカメラより位置情報付き画像信号を読み取り、位置情報表示形態を指示する情報に基づき変換し、画像の上に重ねてプリントアウトする。
【０１９６】
また、位置情報取得手段としてＧＰＳ受信手段を例に説明したが、他の手段でも構わない。
【０１９７】
また、画像再生装置として銀塩フィルムに記録された画像を印画紙上に再生する、いわゆる銀塩プリンタを例に説明したが、インクジェットプリンタ、昇華型プリンタ、熱転写プリンタ、レーザービームプリンタでも構わない。また、業務用の大型プリンタに限定されること無く、家庭用の小型プリンタでも構わない。
【０１９８】
【発明の効果】
以上説明したように、本出願に係る第１の発明によれば、撮影時には位置情報の再生表示形態を指定するのみで位置情報は自動で取得するため、位置情報入力の手間が省けて撮影に専念でき、かつ写真プリント等の再生画像上に印字される位置情報は、撮影者が望む形態にする事が可能で、写真プリントの付加価値が高まったり、整理が簡便になる。
【０１９９】
また、本出願に係る第２の発明によれば、位置情報として一般的な経緯度情報を利用するため、位置情報取得が容易になる。
【０２００】
また、本出願に係る第３の発明によれば、位置情報としてデータ量の少ない符号化情報を用いるため、カメラあるいはフィルムにおける情報記録媒体の記録容量が少なくてすむ。
【０２０１】
また、本出願に係る第４の発明によれば、位置情報を自動で取得するため、撮影者は撮影に専念でき、シャッターチャンスを逃すことがない。
【０２０２】
また、本出願に係る第５の発明によれば、撮影者は位置情報の表示形態を複数種の中から選択すればよいため、カメラ操作が簡便になり、シャッターチャンスを逃すことがない。
【０２０３】
また、本出願に係る第６の発明によれば、写真プリントに適した位置情報表示形態を選択可能なため、撮影時に繁雑な操作をする事無しに利用価値の高い位置情報を利用できる。
【０２０４】
また、本出願に係る第７の発明によれば、画像再生装置を扱う人物が撮影者でなくとも、撮影者の意図どおりの形態で位置情報を画像上に再生できる。
【０２０５】
また、本出願に係る第８の発明によれば、画像に付加された位置情報が経緯度等の数値情報でも、撮影者の意図どおりの形態で位置情報を画像上に再生できる。
【０２０６】
また、本出願に係る第９の発明によれば、画像に付加された位置情報が符号化された情報でも、撮影者の意図どおりの形態で位置情報を画像上に再生できる。
【０２０７】
また、本出願に係る第１０の発明によれば、画像に付加された位置情報から再生用表示情報に変換する際に地名辞書を用いるため、内容の豊富な情報を表示できると共に、地名辞書を更新することでカメラの位置情報取得手段が旧型であっても常に最新の位置情報を再生できる。
【０２０８】
また、本出願に係る第１１の発明によれば、再生画像に経緯度、住所、場所に関する固有名称等を表示可能なため、写真の撮影場所の認識が容易になる。
【０２０９】
また、本出願に係る第１２の発明によれば、写真プリントに所望の形態の位置情報を印字できるため、写真の撮影場所の認識が容易になるとともに写真整理も簡便になる。
【図面の簡単な説明】
【図１】本発明の第１実施例のカメラの概略構成図である。
【図２】本発明の第１実施例の画像再生装置の概略構成図である。
【図３】本発明の第１実施例のカメラの詳細構成図である。
【図４】本発明の第１実施例の画像再生装置の詳細構成図である。
【図５】本発明の第１実施例のカメラにおける表示手段の初期画面説明図である。
【図６】本発明の第１実施例のカメラにおける撮影条件設定プログラムの実行画面説明図である。
【図７】本発明の第１実施例のカメラにおける位置情報形態設定プログラムの実行画面説明図である。
【図８】本発明の第１実施例のカメラにおける個人的位置情報登録プログラムの実行画面説明図である。
【図９】本発明の第１実施例のカメラにおけるメイン制御フロー図である。本発明の第１実施例のカメラにおける個人登録サブルーチンのフロー図である。
【図１０】本発明の第１実施例のカメラにおける位置情報形態設定サブルーチンのフロー図である。
【図１１】本発明の第１実施例のカメラにおける個人的位置情報登録サブルーチンのフロー図である。
【図１２】本発明の第１実施例のカメラにおけるレリーズサブルーチンのフロー図である。
【図１３】本発明の第１実施例のカメラにおけるフィルムヘの情報記録状態説明図である。
【図１４】本発明の第１実施例の画像再生装置のメインフロー図である。
【図１５】本発明の第１実施例の画像再生装置のプリント動作フロー図である。
【図１６】本発明の第１実施例の画像再生装置で出力されたプリントの図である。
【図１７】本発明の第２実施例のカメラの概略構成図である。
【図１８】本発明の第２実施例の画像再生装置の概略構成図である。
【図１９】本発明の第２実施例のカメラの詳細構成図である。
【図２０】本発明の第２実施例の画像再生装置の詳細構成図である。
【図２１】本発明の第２実施例のカメラにおける位置情報形態設定プログラムの実行画面説明図である。
【図２２】本発明の第２実施例のカメラにおけるフィルムへの情報記録状態説明図である。
【図２３】本発明の第２実施例の画像再生装置のメインフロー図である。
【図２４】本発明の第２実施例の画像再生装置で出力されたプリントの図である。
【符号の説明】
１０１，２０１  カメラ
１０４  メインスイッチ
１０５  レリーズボタン
１１１  表示手段
１１２  スクロールボタン
１１３  モード選択ボタン
１１４  選択確定ボタン
１２６  フィルム
１３３  メモリ
１４１，２４１  送受信装置
１５４  ＧＰＳ衛星
２５４  場所情報発信用アンテナ
１７１  画像編集装置
１８１  フイルムスキャナ
１８８，２８８  フィルムカートリッジ
１９１  プリンタ
１９８，２９８  写真プリント
１０６１，２０６１  撮影済みフィルム
１０６２，１０６３，２０６２，２０６３  磁気情報記録用トラック
１０９１，２０９１  写真プリント
１１９１，１１９２，１１９３，１１９４  位置情報表示部
２１９１，２１９２，２１９３，２１９４  位置情報表示部
【図１】
2004309835.tif 000003
【図２】
2004309835.tif 000004
【図３】
2004309835.tif 000005
【図４】
2004309835.tif 000006
【図５】
2004309835.tif 000007
【図６】
2004309835.tif 000008
【図７】
2004309835.tif 000009
【図８】
2004309835.tif 000010
【図９】
2004309835.tif 000011
【図１０】
2004309835.tif 000012
【図１１】
2004309835.tif 000013
【図１２】
2004309835.tif 000014
【図１３】
2004309835.tif 000015
【図１４】
2004309835.tif 000016
【図１５】
2004309835.tif 000017
【図１６】
2004309835.tif 000018
【図１７】
2004309835.tif 000019
【図１８】
2004309835.tif 000020
【図１９】
2004309835.tif 000021
【図２０】
2004309835.tif 000022
【図２１】
2004309835.tif 000023
【図２２】
2004309835.tif 000024
【図２３】
2004309835.tif 000025
【図２４】
2004309835.tif 000026